(57)【要約】【課題】コンパクト化を図ることが可能なサニタリールームを提供する。【解決手段】ユニット躯体１０内に、浴室２０、洗面室３０及びトイレ４０が設けられて構成されるサニタリールーム１であって、浴室２０に浴槽２１が設けられ、浴室２０に隣接するように配置された洗面室３０に、洗面用の水栓３１ａを有する洗面台３１が設けられ、洗面用の水栓３１ａを、入浴する際に使用される入浴用の水栓として兼用することで、入浴用の水栓を別途設ける必要を無くす。【選択図】図６
2015196951.tif 000002
【特許請求の範囲】
【請求項１】
浴槽が設けられる浴室と、
前記浴室に隣接するように配置され、洗面用の水栓を有する洗面台が設けられる洗面室と、
を具備するサニタリールームであって、
前記洗面用の水栓を、入浴する際に使用される入浴用の水栓として兼用することを特徴とする、
サニタリールーム。
【請求項２】
前記洗面室のうち、少なくとも前記洗面台を含む兼用空間を、入浴する際に使用される洗い場として兼用することを特徴とする、
請求項１に記載のサニタリールーム。
【請求項３】
前記浴室と前記洗面室との間を仕切ることが可能な建具を具備することを特徴とする、
請求項２に記載のサニタリールーム。
【請求項４】
前記建具は、
前記浴室と、前記洗面室と、の間を仕切る第一位置と、
前記浴室及び前記兼用空間と、その他の空間と、の間を仕切る第二位置と、
の間で位置を変更可能であることを特徴とする、
請求項３に記載のサニタリーリーム。
【請求項５】
前記洗面室には、
前記洗面台を使用する際の足場となる足場部材が設けられることを特徴とする、
請求項２から請求項４までのいずれか一項に記載のサニタリールーム
【請求項６】
前記洗面台は、
前記足場部材を収納することが可能であることを特徴とする、
請求項５に記載のサニタリールーム。
【発明の詳細な説明】
【技術分野】
【０００１】
本発明は、浴室と洗面室とを具備するサニタリールームの技術に関する。
【背景技術】
【０００２】
従来、浴室と洗面室とを具備するサニタリールームの技術は公知となっている。例えば、特許文献１に記載の如くである。
【０００３】
特許文献１には、浴室（浴室部）と洗面室（設備室部）とを具備するサニタリールーム（衝生設備ユニット）の技術が記載されている。浴室には、浴槽や洗い場等が設けられている。また洗面室には、洗面台（洗面器）等が設けられている。
【０００４】
特許文献１に記載の技術では、浴室の洗い場と洗面室との間に第一の排水溝が設けられると共に、浴槽と洗い場との間に第二の排水溝が設けられている。さらに、洗い場の床面には、第二の排水溝に向かって下り勾配の傾斜が設けられている。このように構成することによって、入浴の際に、浴室の洗い場の湯水が洗面室へと流出するのを防止することができ、当該洗面室の床面が濡れるのを防止することができる。
【０００５】
また、このように構成することによって、洗い場の面積を小型化（コンパクト化）したとしても洗面室への湯水の流出を防止することができる。これによって、サニタリールームのコンパクト化を図ることができる。
【０００６】
しかしながら、特許文献１に記載のサニタリールームでは、さらなる改善（コンパクト化）の余地があった。
【先行技術文献】
【特許文献】
【０００７】
【特許文献１】特開２００１−９０３６２号公報
【発明の概要】
【発明が解決しようとする課題】
【０００８】
本発明は以上の如き状況に鑑みてなされたものであり、その解決しようとする課題は、コンパクト化を図ることが可能なサニタリールームを提供することである。
【課題を解決するための手段】
【０００９】
本発明の解決しようとする課題は以上の如くであり、次にこの課題を解決するための手段を説明する。
【００１０】
即ち、請求項１においては、浴槽が設けられる浴室と、前記浴室に隣接するように配置され、洗面用の水栓を有する洗面台が設けられる洗面室と、を具備するサニタリールームであって、前記洗面用の水栓を、入浴する際に使用される入浴用の水栓として兼用することを特徴とするものである。
【００１１】
請求項２においては、前記洗面室のうち、少なくとも前記洗面台を含む兼用空間を、入浴する際に使用される洗い場として兼用することを特徴とするものである。
【００１２】
請求項３においては、前記浴室と前記洗面室との間を仕切ることが可能な建具を具備することを特徴とするものである。
【００１３】
請求項４においては、前記建具は、前記浴室と、前記洗面室と、の間を仕切る第一位置と、前記浴室及び前記兼用空間と、その他の空間と、の間を仕切る第二位置と、の間で位置を変更可能であることを特徴とするものである。
【００１４】
請求項５においては、前記洗面室には、前記洗面台を使用する際の足場となる足場部材が設けられることを特徴とするものである。
【００１５】
請求項６においては、前記洗面台は、前記足場部材を収納することが可能であることを特徴とするものである。
【発明の効果】
【００１６】
本発明の効果として、以下に示すような効果を奏する。
【００１７】
請求項１においては、洗面用の水栓を入浴用の水栓として兼用することで、別途入浴用の水栓を設ける必要が無くなり、コンパクト化を図ることができる。
【００１８】
請求項２においては、洗面室の兼用空間を洗い場として兼用することで、別途洗い場を設ける必要が無くなり、コンパクト化を図ることができる。
【００１９】
請求項３においては、入浴しない場合に浴室と洗面室とを仕切ることで、湿気が洗面室に流入するのを防止することができる。
【００２０】
請求項４においては、入浴しない場合には、建具を第一位置に変更することで、湿気が洗面室に流入するのを防止することができる。また、入浴する場合には、建具を第二位置に変更することで、湿気がその他の空間に流入するのを防止することができる。また、上記２つの用途の建具（第一位置に配置する建具と第二位置に配置する建具）を兼用することができる。
【００２１】
請求項５においては、洗面台を使用する際に、足が濡れるのを防止することができる。
【００２２】
請求項６においては、足場部材を洗面台に収納することで、利便性を向上させることができる。
【図面の簡単な説明】
【００２３】
【図１】本実施形態に係るサニタリールームを示した平面図。
【図２】同じく、斜視図。
【図３】仕切板を移動させる様子を示した斜視図。
【図４】（ａ）仕切板を第一位置に移動させた状態を示した平面図。（ｂ）仕切板を第二位置に移動させた状態を示した平面図。
【図５】仕切板を第一位置に移動させた状態を示した斜視図。
【図６】仕切板を第二位置に移動させた状態を示した斜視図。
【図７】化粧板を回動させる様子を示した斜視図。
【発明を実施するための形態】
【００２４】
以下では、本発明の実施の一形態に係るサニタリールーム１について説明する。
【００２５】
なお、以下の説明では、図中に示した矢印に従って、前後方向、左右方向及び上下方向を定義する。
【００２６】
図１及び図２に示すサニタリールーム１は、住宅等の人の居住を用途とする建築物に設置されるものである。サニタリールーム１は、ユニット躯体１０を有し、当該ユニット躯体１０の内部の空間に浴室２０、洗面室３０、及びトイレ４０が設けられることで構成される。
【００２７】
ユニット躯体１０は、四方を壁部（パネル）により囲まれ、長手方向を左右に向けた平面視略矩形状に形成される。ユニット躯体１０は、前側に配置された前壁部１１と、後側に配置された後壁部１２と、左側に配置された左壁部１３と、右側に配置された右壁部１４とにより、前後方向及び左右方向を囲まれて形成される。ユニット躯体１０内には、前壁部１１等によって囲まれた平面視略矩形状の空間が形成される。ユニット躯体１０内の空間は、左端部近傍の空間、左右中央の空間及び右端部近傍の空間の３つの空間に大きく分けられる。当該左端部近傍の空間が浴室２０、浴室２０と隣接する左右中央の空間が洗面室３０、洗面室３０と隣接する右端部近傍の空間がトイレ４０として使用される。
【００２８】
ユニット躯体１０には、主として間仕切り１５、レール１６、仕切板１７及び出入口１８が設けられる。
なお、図１及び図２においては、仕切板１７の図示を省略している。
【００２９】
間仕切り１５は、ユニット躯体１０内の空間を左右に仕切る壁である。より具体的には、間仕切り１５は、洗面室３０とトイレ４０とを仕切る壁である。間仕切り１５は、サニタリールーム１の左右中央よりも右寄りの位置（サニタリールーム１の右端から概ね４分の１の位置）に設けられる。間仕切り１５は、前壁部１１から後壁部１２に亘って前後方向に延びるように形成される。このように設けられた間仕切り１５よりも右方の空間が、トイレ４０として使用される。間仕切り１５には、開口部１５ａ及び開閉扉１５ｂが設けられる。
なお、図２及び図３、並びに図５から図７までにおいては、開閉扉１５ｂの図示を省略している。
【００３０】
開口部１５ａは、人が洗面室３０からトイレ４０へと出入りするための出入口である。開口部１５ａは、間仕切り１５の後部を左右に貫通するように形成される。当該開口部１５ａは、人（特に、車椅子に搭乗した要介護者）が通過することができる程度に十分に大きく形成される。
【００３１】
開閉扉１５ｂは、開口部１５ａに設けられ、当該開口部１５ａを開閉するものである。開閉扉１５ｂは前後に摺動可能となるように配置される。開閉扉１５ｂを後方に摺動させることで開口部１５ａを閉塞することができる。また開閉扉１５ｂを前方に摺動させることで開口部１５ａを開放することができる。
【００３２】
レール１６は、後述する仕切板１７を案内するためのものである。レール１６は、上下（サニタリールーム１の天井と床面）で一対となるように形成される。レール１６は、主として第一レール１６ａ、第二レール１６ｂ及び第三レール１６ｃを具備する。
【００３３】
第一レール１６ａは、平面視において浴室２０と洗面室３０との間に設けられる。より具体的には、第一レール１６ａは、サニタリールーム１の左右中央よりも左寄りの位置（サニタリールーム１の左端から概ね４分の１の位置）に設けられる。第一レール１６ａは、前壁部１１（より詳細には、前壁部１１から後方へと突出するように形成された仕切部１１ａ）から後壁部１２に亘って前後方向に延びるように形成される。
【００３４】
第二レール１６ｂは、後壁部１２に沿うように設けられる。第二レール１６ｂは、第一レール１６ａの後端部から、サニタリールーム１（洗面室３０）の左右略中央まで延びるように設けられる。
【００３５】
第三レール１６ｃは、平面視においてサニタリールーム１の左右略中央に設けられる。第三レール１６ｃは、前壁部１１（より詳細には、前壁部１１から後方へと突出するように形成された仕切部１１ｂ）から後壁部１２（第二レール１６ｂの右端）に亘って前後方向に延びるように形成される。
【００３６】
このように、第一レール１６ａ、第二レール１６ｂ及び第三レール１６ｃは互いに連続するように接続され、レール１６は平面視Ｕ字状となるように形成される。
【００３７】
図３及び図４に示す仕切板１７は、本発明に係る建具の実施の一形態である。仕切板１７は、ユニット躯体１０内の空間を左右に仕切るものである。仕切板１７は、ユニット躯体１０に２つ設けられる。仕切板１７はレール１６に取り付けられ、当該レール１６に沿って移動（摺動）することができる。
【００３８】
図４（ａ）及び図５に示すように、仕切板１７が第一レール１６ａ上（以下、単に「第一位置」と称する）に位置するように移動されると、当該仕切板１７によってユニット躯体１０内の空間が左右に仕切られる。第一位置に配置された仕切板１７よりも左方の空間が浴室２０として使用される。また、当該仕切板１７よりも右方の空間（より詳細には、仕切板１７と間仕切り１５との間の空間）が洗面室３０として使用される。
【００３９】
図４（ｂ）及び図６に示すように、仕切板１７が第三レール１６ｃ上（以下、単に「第二位置」と称する）に位置するように移動されると、当該仕切板１７によってユニット躯体１０内の空間が左右に仕切られる。以下では、洗面室３０のうち、第二位置に配置された仕切板１７よりも左方の空間を兼用空間３０ａ、当該仕切板１７よりも右方の空間を専用空間３０ｂとそれぞれ称する。このように、仕切板１７が第二位置に配置された場合、当該仕切板１７によって洗面室３０が２つの空間（兼用空間３０ａ及び専用空間３０ｂ）に仕切られる。
【００４０】
兼用空間３０ａは、洗面室３０のうち、入浴する際の洗い場としても使用される空間である。
専用空間３０ｂは、洗面室３０のうち、入浴する際の洗い場として使用されることがない空間である。
なお、兼用空間３０ａを洗い場として使用する様子については後述する。
【００４１】
図１に示す出入口１８は、人がサニタリールーム１に出入りするためのものである。出入口１８は、後壁部１２の左右中途部（より詳細には、専用空間３０ｂに面する部分）に形成される。当該出入口１８は、人（特に、車椅子に搭乗した要介護者）が通過することができる程度に十分に大きく形成される。出入口１８には、当該出入口１８を開閉可能な開閉扉１８ａが設けられる。
【００４２】
図１及び図２に示す浴室２０は、主に入浴の際に使用される空間である。浴室２０には、主として浴槽２１が設けられる。平面視において、浴室２０は当該浴槽２１と略同一形状である。このため浴室２０には、入浴する際に使用される洗い場（浴槽２１の外で身体を洗うための空間）は設けられていない。
【００４３】
洗面室３０は、主に洗面の際に使用される空間である。洗面室３０には、主として洗面台３１及び洗濯機３２が設けられる。
【００４４】
洗面台３１は、洗面室３０の兼用空間３０ａにおいて、前壁部１１に沿うように配置される。洗面台３１は、主として水栓３１ａ及び化粧板３１ｂを具備する。
【００４５】
水栓３１ａは、供給される湯水を使用するためのものである。水栓３１ａは、任意に水量（湯量）や温度を調節することができる。水栓３１ａは洗面台３１の上部に設けられる。
【００４６】
化粧板３１ｂは、洗面台３１の前面を形成するものである。化粧板３１ｂは略矩形板状に形成される。化粧板３１ｂは、洗面台３１の美観に合わせて適宜塗装や装飾が施されている。化粧板３１ｂは、洗面台３１に対して回動可能となるように取り付けられる。具体的には、化粧板３１ｂの下端部は図示せぬヒンジ等を介して洗面台３１の下端部に連結される。当該化粧板３１ｂの上端部を後方に向かって引き出すことで、当該化粧板３１ｂを回動させることができる（図７参照）。このようにして引き出された化粧板３１ｂを洗面室３０（兼用空間３０ａ）の床面に載置することで、当該化粧板３１ｂを、洗面台３１を使用する際の足場として使用することができる（図５参照）。
【００４７】
洗濯機３２は、洗面室３０の専用空間３０ｂにおいて、前壁部１１に沿うように配置される。
【００４８】
トイレ４０は、用便の際に使用される空間である。トイレ４０には、主として便器４１が設けられる。便器４１は、トイレ４０において、前壁部１１に沿うように配置される。
【００４９】
以下では、上述の如く構成されたサニタリールーム１の使用方法（特に、洗面する場合と入浴する場合）について説明する。
【００５０】
まず洗面する場合には、図４（ａ）及び図５に示すように、仕切板１７を第一レール１６ａ上（第一位置）に移動させる。この状態では、仕切板１７によって浴室２０と洗面室３０（兼用空間３０ａ）とが仕切られる。このため、浴槽２１の湿気が洗面室３０内に流入するのを防止することができる。この状態で洗面台３１を用いて洗面を行うことができる。この状態では、使用者は、兼用空間３０ａと専用空間３０ｂとが一体化した広い空間（すなわち洗面室３０）を利用することができる。
【００５１】
次に、入浴する場合には、図４（ｂ）及び図６に示すように、仕切板１７を第三レール１６ｃ上（第二位置）に移動させる。この状態では、仕切板１７によって兼用空間３０ａと専用空間３０ｂとが仕切られる。この状態では、使用者は、洗面台３１の水栓３１ａを、入浴用の水栓として使用することができる。また使用者は、兼用空間３０ａを洗い場として使用することができる。またこの状態では、浴室２０及び兼用空間３０ａの湿気が専用空間３０ｂ内に流入するのを防止することができる。このように使用者は、浴室２０と兼用空間３０ａとが一体化した広い空間を利用して入浴することができる。また使用者は、専用空間３０ｂを脱衣室として使用することができる。
【００５２】
なお、通常洗面台３１は、立った状態で使用することを前提に、比較的高い位置に水栓３１ａが設けられている。従って、入浴する際には、比較的高い椅子Ｃを使用することが望ましい。
【００５３】
さらに、入浴した後に再び洗面する場合には、再度仕切板１７を第一位置に移動させる（図４（ａ）等参照）。また、図７に示すように、洗面台３１の化粧板３１ｂを回動させ、床面に載置する。当該化粧板３１ｂを足場として洗面台３１を使用することで（図５参照）、入浴後に濡れている兼用空間３０ａの床面上に立つ必要がなくなり、使用者の足が濡れるのを防止することができる。また、当該足場として使用した化粧板３１ｂは、洗面後に再び洗面台３１の前面として収納することができる（図２等参照）。
【００５４】
なお、このように兼用空間３０ａの床面は入浴の際に濡れるため、湯水を排出する排水溝や、当該床面の乾燥を促す加工が施されることが望ましい。
【００５５】
このように、サニタリールーム１は、洗面台３１の水栓３１ａを入浴用の水栓として兼用することができる。これによって、入浴専用の水栓を別途設ける必要がないため、コンパクト化を図ることができる。また、サニタリールーム１は、兼用空間３０ａを入浴する際に使用される洗い場として兼用することができる。これによって、入浴専用の洗い場を別途設ける必要がないため、コンパクト化を図ることができる。
【００５６】
また、サニタリールーム１のコンパクト化を図ることによって、当該サニタリールーム１が設置される建築物が狭小地に建てられている場合等、スペースに制約がある場合でも、当該サニタリールーム１を設置することができる。また、コンパクト化を図ることによって、日常におけるメンテナンス性（掃除のし易さ等）を向上させることもできる。また、コンパクト化によって建築物においてサニタリールーム１が占めるスペースを削減することができ、当該スペースを他の空間（他の部屋や収納の拡大や追加、エレベータの導入、階段の勾配を緩やかにする等）として利用することができる。また、サニタリールーム１が占めるスペースを削減することによって、建築物自体が占める空間（面積等）を削減することができ、ひいては建築費の抑制を図ることができる。
【００５７】
さらに、サニタリールーム１は、上述の如くコンパクト化を図りながらも、洗面する場合にも、入浴する場合にも、使用者は広い空間を使用することができる。従って、車椅子を利用する要介護者等の、介護のための広いスペースが必要な使用者であっても、不都合なくサニタリールーム１を使用することができる。
【００５８】
また、サニタリールーム１には、洗面室３０の専用空間３０ｂに面するように出入口１８が設けられている。このため、使用者が入浴したり、トイレ４０を使用したりしている際に、他の使用者が出入口から入ってきたとしても、当該他の使用者から直接視認されることがない。
【００５９】
また、本実施形態のサニタリールーム１は複雑な構造を有していないため、既存の建築物（住宅等）にも簡単な改修工事を施すことで、容易に適用することができる。
【００６０】
以上の如く、本実施形態に係るサニタリールーム１は、
浴槽２１が設けられる浴室２０と、
浴室２０に隣接するように配置され、洗面用の水栓３１ａを有する洗面台３１が設けられる洗面室３０と、
を具備するサニタリールーム１であって、
洗面用の水栓３１ａを、入浴する際に使用される入浴用の水栓として兼用することを特徴とするものである。
このように構成することにより、洗面用の水栓３１ａを入浴用の水栓として兼用することで、別途入浴用の水栓を設ける必要が無くなり、コンパクト化を図ることができる。
【００６１】
また、サニタリールーム１は、
洗面室３０のうち、少なくとも洗面台３１を含む兼用空間３０ａを、入浴する際に使用される洗い場として兼用することを特徴とするものである。
このように構成することにより、洗面室３０の兼用空間３０ａを洗い場として兼用することで、別途洗い場を設ける必要が無くなり、コンパクト化を図ることができる。
【００６２】
また、サニタリールーム１は、
浴室２０と洗面室３０との間を仕切ることが可能な仕切板１７（建具）を具備することを特徴とするものである。
このように構成することにより、入浴しない場合に浴室２０と洗面室３０とを仕切ることで、湿気が洗面室３０に流入するのを防止することができる。
【００６３】
また、仕切板１７は、
浴室２０と、洗面室３０と、の間を仕切る第一位置と、
浴室２０及び兼用空間３０ａと、その他の空間（専用空間３０ｂ）と、の間を仕切る第二位置と、
の間で位置を変更可能であることを特徴とするものである。
このように構成することにより、入浴しない場合には、仕切板１７を第一位置に変更することで、湿気が洗面室３０に流入するのを防止することができる。また、入浴する場合には、仕切板１７を第二位置に変更することで、湿気がその他の空間に流入するのを防止することができる。また、上記２つの用途の仕切板１７（第一位置に配置する仕切板１７と第二位置に配置する仕切板１７）を兼用することができる。
【００６４】
また、洗面室３０には、
洗面台３１を使用する際の足場となる化粧板３１ｂ（足場部材）が設けられることを特徴とするものである。
このように構成することにより、洗面台３１を使用する際に、足が濡れるのを防止することができる。
【００６５】
また、洗面台３１は、
化粧板３１ｂを収納することが可能であることを特徴とするものである。
このように構成することにより、化粧板３１ｂを洗面台３１に収納することで、利便性を向上させることができる。
【００６６】
なお、本発明に係るサニタリールームが設置される建築物は、特に限定するものではない。また、本発明に係るサニタリールームはコンパクト化を図ることが可能であるため、特に狭小地に建てられる建築物に設置される場合に好適である。
【００６７】
また、本発明に係るサニタリールームの形状は、本実施形態に係る形状（ユニット躯体１０の形状）に限るものではない。すなわち、サニタリールームは平面視略矩形状に限るものではなく、平面視正方形状等の任意の形状に形成することが可能である。
【００６８】
また、本発明に係る建具は、本実施形態に係る仕切板１７に限るものではなく、空間を仕切ることができるものであれば良い。例えば、建具としてカーテン状の部材を用いることも可能である。但し、仕切られた空間の間で湿気が流通しないように、ある程度の密閉性を有していることが望ましい。
【００６９】
また、本実施形態においては、洗面室３０のうちの一部の空間（兼用空間３０ａ）だけを、入浴の際の洗い場として兼用するものとしたが、本発明はこれに限るものではない。例えば、洗面室３０全体を洗い場として兼用する構成とすることも可能である。
【００７０】
また、本実施形態においては、左方から順に浴室２０、洗面室３０及びトイレ４０が配置される構成としたが、本発明はこれに限るものではない。すなわち、浴室と洗面室とが隣接するものであれば、各空間（浴室や洗面室等）の配置は任意に設定することが可能である。また、サニタリールームに、さらに他の空間（収納空間等）を設けることも可能である。
【００７１】
また、本実施形態においては、浴室２０、洗面室３０及びトイレ４０に設けられた設備として、浴槽２１、洗面台３１、洗濯機３２及び便器４１を例示したが、これは一例であり、任意の設備を設けることが可能である。
【００７２】
また、本発明に係る足場部材は、本実施形態に係る化粧板３１ｂに限るものではなく、洗面台を使用する際の足場として使用できるものであれば良い。また、足場部材は、化粧板３１ｂのように洗面台の前面を形成するものでなくても良い。例えば、足場部材は、洗面台の内部に収納されるものであっても良い。また、足場部材は、化粧板３１ｂのように洗面台３１に対して回動可能に取り付けられるものでなくても良い。例えば、洗面台３１に対して着脱可能に設けられるものであっても良い。
【符号の説明】
【００７３】
１      サニタリールーム
１６    レール
１７    仕切板（建具）
２０    浴室
２１    浴槽
３０    洗面室
３０ａ  兼用空間
３０ｂ  専用空間
３１    洗面台
３１ａ  水栓
３１ｂ  化粧板（足場部材）
４０    トイレ
【図１】
2015196951.tif 000003
【図２】
2015196951.tif 000004
【図３】
2015196951.tif 000005
【図４】
2015196951.tif 000006
【図５】
2015196951.tif 000007
【図６】
2015196951.tif 000008
【図７】
2015196951.tif 000009